(57)【特許請求の範囲】
【請求項１】
プラグ側の信号コンタクトに接触させる信号ポストの接触部を並設配置したプラグ挿脱部を前面に設け、後面より回路基板に接続される各信号ポストの接続部を導出せるレセプタクル本体の両側に夫々電極配設部を一体形成し、各電極配設部内には電極配設部の下面から後面に亘って開口した収納空間を設けて下面開口から板ばね材からなるバッテリ用コンタクトを収納空間内に圧入収納し、該バッテリ用コンタクトには、上記電極配設部の後面下部より後方に導出する基板接続部と、該基板接続部の導出位置より上方の上記電極配設部の後面開口から斜め上方に向けて後方に突出させた上記電極配設部方向に撓み自在な斜片と、該斜片の上端部に形成され、後方且つ斜め下向きに先端曲面を突出させたＵ字状の電極接触部とを少なくとも設けて成ることを特徴とするバッテリ使用機器用レセプタクル。
【請求項２】
上記収納空間に並行するように上記電極配設部内に、電極配設部の下面から後面に亘って開口した充電電極端子収納用収納空間を設け、該充電電極端子用収納空間内に下面開口より充電電極端子を圧入収納するとともに、該充電電極端子の一端に設けた接続部を電極配設部の後面下部より後方に導出し、電極配設部の下面に沿うように下面開口から前方へ延長せる充電電極端子の他端に設けた電極を電極配設部の前面に沿うように配置して成ることを特徴とする請求項１記載のバッテリ使用機器用レセプタクル。
【請求項３】
バッテリ用コンタクトには、基板接続部から上記斜片に至るまでの部位に上記基板接続部を一端に設けた平片と、この平片の他端より垂直方向である上方に延長形成し、収納空間内の前側の垂直内壁面に沿って配設される垂直片とを設けるとともに、該垂直片と上記平片との境界部位に切り欠き孔を形成して該切り欠き孔に臨む垂直片の下端面を平坦面として成ることを特徴とする請求項１又は２記載のバッテリ使用機器用レセプタクル。
【発明の詳細な説明】
【０００１】
【発明の属する技術分野】
本発明は、バッテリを使用する電気機器に取り付けられ、プラグ側の信号コンタクトに接触する信号ポストを通じてプラグ側の電気機器との間で電気信号を伝達を行い、且つバッテリの電極をバッテリ用コンタクトに接続するレセプタクルに関するものである。
【０００２】
【従来の技術】
移動体通信機器等に組み込まれるレセプタクルは、使用用途から低背構造のものが要求されている。一方電源用のバッテリを接続するためのバッテリ用コンタクトは、十分ばね圧を持ってバッテリの電極との間で接触する必要がある。
【０００３】
このようなレセプタクルとしては図１０（ａ）乃至（ｄ）、図１１及び図１２（ａ）〜（ｃ）に示すような構造のものが提供されている。
【０００４】
この従来例は合成樹脂製レセプタクル本体１００の中央前面部に金属板を折り曲げ形成した扁平四角状の筒体１０３を配設してこの筒体１０３で囲まれた前面開口の凹部１０３ａがプラグの挿脱部を構成している。この凹部１０３ａ内にはレセプタクル本体１００の中央の前面部より平板状の突片１０１を一体突出するとともに、この突片１０１の下面に基部から突片１０１先端方向に亘るように信号ポスト１０２の接触部１０２ａを複数並設して、凹部１０３ａ内に挿入されたプラグ側の信号コンタクトの接触部が信号ポスト１０２の接触部１０２ａと接触して電気信号の伝達ができるようなっている。
【０００５】
信号ポスト１０２はレセプタクル本体１００の後面より導出され、該後面に沿うように折り曲げられ、さらにレセプタクル本体１００の底面に近い位置で後方に回路基板に接続する接続部１０２ｂを折り曲げ延長している。
【０００６】
またレセプタクル本体１００の両側にはバッテリの正負の各電極を接続するために各極にそれぞれ対応して一対の１組のバッテリ用コンタクト１０４を配設するとともに充電電極端子１０５を配設する電極配設部１０６を一体に設けてある。
【０００７】
各電極配設部１０６内にはバッテリ用コンタクト１０５を圧入収納する収納空間たる圧入収納部１０７を一対ずつ並設してある。この圧入収納部１０７は電極配設部１０６の上面から後面にかけて開口しており、板ばね材を略ム字状に折り曲げ形成したバッテリ用コンタクト１０４は上面開口より圧入されて圧入収納部１０７内に収納される。
【０００８】
この際バッテリ用コンタクト１０４は図１２（ｃ）に示すように底片１０４ａを圧入収納部１０７の底部に載置して、底片１０４ａの先端に設けた回路基板接続用の接続部１０４ｂを外部に突出させ、また斜片１０４ｃの先部を圧入収納部１０７の上面開口より外部に突出させている。この斜片１０４ｃの先部には更に斜片１０４ｃに対して略直角に折り曲げた略Ｌ字状片を形成してバッテリ側に設けた電極に対して接触する上向きに突曲したバッテリ接触部１０８を頂部に設けてある。
【０００９】
圧入収納部１０７、１０７間の電極配設部１０６の裏面側には下面開口の圧入収納部１０９を図７（ｂ）に示すように設けており、この圧入収納部１０９には金属薄板をコ字状に略折り曲げて形成した充電電極端子１０５を圧入収納する。この充電電極端子１０５は後下端に設けた回路基板に接続するための基板接続部１０５ａを電極配設部６の後方へ導出させ、また前下端に設けた電極１０５ｂを電極配設部１０６の前面に形成した凹み部１０６ａに沿うように配設させる。
【００１０】
このように構成された従来例を使用する場合、対応するバッテリに下向きの電極を設け、バッテリの電極を設けた部位をレセプタクル本体１００上に被せるようにしてバッテリ装着部にバッテリを装着し、バッテリの下向きの電極をバッテリ用コンタクト１０４の接触部１０８に弾接する構造を採用することになる。
【００１１】
【発明が解決しようとする課題】
上記の従来例では、バッテリの端部がレセプタクル本体１００上に被るため、バッテリの長さ寸法が大型化することになり、またバッテリ用コンタクト１０４の撓み方向が上下方向であるため、撓み代を十分にとることができない。
【００１２】
またバッテリ用コンタクト１０４と、充電電極端子１０５の電極配設部１０６への圧入方向が逆向きであるため、同時に両者を組み付けることが難しく、工数が多くなる。
【００１３】
本発明は、上述の問題点に鑑みてなされたもので、バッテリ用コンタクトの撓み代を十分にとることができ、バッテリ装着部が狭くても容易にバッテリを装着することができるバッテリ使用機器用レセプタクルを提供することにある。
【００１４】
また、バッテリ用コンタクト及び充電電極端子の圧入が一度にでき、しかもバッテリ用コンタクトの圧入が容易にできるバッテリ使用機器用レセプタクルを提供するにある。
【００１５】
【課題を解決するための手段】
上記目的を達成するために、請求項１の発明では、プラグ側の信号コンタクトに接触させる信号ポストの接触部を並設配置したプラグ挿脱部を前面に設け、後面より回路基板に接続される各信号ポストの接続部を導出せるレセプタクル本体の両側に夫々電極配設部を一体形成し、各電極配設部内には電極配設部の下面から後面に亘って開口した収納空間を設けて下面開口から板ばね材からなるバッテリ用コンタクトを収納空間内に圧入収納し、該バッテリ用コンタクトには、上記電極配設部の後面下部より後方に導出する基板接続部と、該基板接続部の導出位置より上方の上記電極配設部の後面開口から斜め上方に向けて後方に突出させた上記電極配設部方向に撓み自在な斜片と、該斜片の上端部に形成され、後方且つ斜め下向きに先端曲面を突出させたＵ字状の電極接触部とを少なくとも設けて成ることを特徴とする。
【００１６】
請求項２の発明では、請求項１の発明において、上記収納空間に並行するように上記電極配設部内に、電極配設部の下面から後面に亘って開口した充電電極端子収納用収納空間を設け、該充電電極端子用収納空間内に下面開口より充電電極端子を圧入収納するとともに、該充電電極端子の一端に設けた接続部を電極配設部の後面下部より後方に導出し、電極配設部の下面に沿うように下面開口から前方へ延長せる充電電極端子の他端に設けた電極を電極配設部の前面に沿うように配置して成ることを特徴とする。
【００１７】
請求項３の発明では、請求項１又は２の発明において、バッテリ用コンタクトには、基板接続部から上記斜片に至るまでの部位に上記基板接続部を一端に設けた平片と、この平片の他端より垂直方向である上方に延長形成し、収納空間内の前側の垂直内壁面に沿って配設される垂直片とを設けるとともに、該垂直片と上記平片との境界部位に切り欠き孔を形成して該切り欠き孔に臨む垂直片の下端面を平坦面として成ることを特徴とする。
【００１８】
【発明の実施の形態】
以下本発明を一実施形態を図面により説明する。
【００１９】
本実施形態のレセプタクル本体１は図２〜図６に示すように従来例と同様に、合成樹脂成形品からなり、その中央の前面部には金属板を折り曲げ形成した扁平四角状の筒体２を配設し、この筒体２で囲まれた前面開口の凹部２ａが図９に示すプラグ４０の挿脱部を構成し、該凹部２ａ内にはレセプタクル本体１の中央の前面部より平板状の突片３を一体に突出させるとともに、突片３の下面には基部から突片３先端方向に亘るように信号ポスト４の接触部４ａを図７（ａ）に示すようにそれぞれ嵌め込んだ複数条の溝３ａを複数並設してあり、凹部２ａ内に挿入される図９に示すプラグ４０側の信号コンタクト４１の接触部が信号ポスト４の接触部４ａと接触して電気信号の伝達ができるようなっている。
【００２０】
各信号ポスト４はレセプタクル本体１の後面より導出される部位を、該後面に沿うように下向きに折り曲げて、この折り曲げ片をレセプタクル本体１の後面に図４、図５に示すように両側方向に並設した縦溝１ａに嵌め、更にこの折り曲げ片のレセプタクル本体１の底面に近い下端位置で後方に直角に折り曲げて、レセプタクル本体１の後面より後方に突出しており、この後方突出片が回路基板３０に接続する接続部４ｂを構成する。
【００２１】
またレセプタクル本体１の両側には図１に示す如くバッテリ５０の一端面に形成した凹部５０ａ内に幅方向に並設された正、負の各電極５１を接続するために各極にそれぞれ対応して一対の１組のバッテリ用コンタクト５を配設するとともに、充電電極端子１２を配設している電極配設部７をそれぞれ一体に設けてある。
【００２２】
各電極配設部７は図示するように後部がレセプタクル本体１に対して背高となっている背高部７ａ、この背高部７ａの前下部に上記筒部２の側面に並行した背低部７ｂとからなり、背高部７ａの後部は、信号ポスト４の基板接触部４ｂの先端位置よりも後方に突出し、その後面の略上端付近から下面にかけて開口した収納空間たる圧入収納部１０，１０を内部に並行形成し、またこれら背高部７ａの下面の圧入収納部１０，１０の開口部位の中間位置を通り背低部７ｂの下面に至るように開口した圧入収納部１１を形成している。
【００２３】
各圧入収納部１０はバッテリ用コンタクト５を圧入収納するためのものであり、圧入収納部１１は充電電極端子１２を圧入収納するためのものである。
【００２４】
バッテリ用コンタクト５は図８（ａ）に示すように平片５ｂの一端の片側よりＬ字状に折り曲げて後方へ延長形成してその横片により構成した、回路基板３０に接続する細幅の基板接続部５ａと、平片５ｂの他端より上方に直角に折り曲げて形成した垂直片５ｃと、この垂直片５ｃの上端をＵ字状に折り返して垂直片５ｃに並行するように平片５ｂの上方に垂下させた垂下片５ｄと、垂下片５ｄの下端から湾曲させて先部を斜め上方に向けて延長して形成した斜片５ｅと、この斜片５ｅの上端部を斜め後方下向きに曲面部が向くようにＵ字状に折り曲げて、その曲面部により形成した電極接触部１５と、この電極接触部１５の折り曲げ先端を斜め上方に延長して形成した延長片５ｆと、この延長片５ｆの先端から折り曲げて斜片５ｅに並行するように斜め前方下向きに形成した斜片５ｇを有した板ばね材からなる。ここで平片５ｂと垂直片５ｃとの境界部には切り欠き孔１３を設け、この切り欠き孔１３に臨む、垂直片５ｃの下端面を平坦面１４としている。
【００２５】
一方充電電極端子１２は図７（ｂ）に示すように圧入収納部１１の天井面に沿わせる中央片１２ａの前後端からそれぞれ下向きに折り曲げ延長形成した幅広な前縦片１２ｂと、幅狭な後縦片１２ｃとを形成し、後縦片１２ｃの下端より更に略Ｚ字状に折り曲げ延長してその下平片で回路基板３０に接続する接続部１２ｄを形成し、また前縦片１２ｂの下端より前方へ背低部７ｂの下面凹所に沿うように延長した更に幅広な延長片１２ｆの先端を更に上方に直角に折り曲げて電極１２ｅを形成している。
【００２６】
而してこれらバッテリ用コンタクト５、充電電極端子１２を、各電極配設部７の下面側の開口よりそれぞれに対応する圧入収納部１０，１１に圧入することで各電極配設部７に組み込むことができるのである。この圧入時にバッテリ用コンタクト５の電極接触部１５は電極配設部７の後面開口より後方に突出する。
【００２７】
また充電電極端子１２の電極１２ｅは電極配設部７の前面に形成した凹部１６に下方から挿置され、凹部１６の両側内壁に形成した溝１６ａに両側縁が係合される。
【００２８】
この圧入工程では、バッテリ用コンタクト５及び充電電極端子１２の圧入収納部１０，１１に対する圧入方向が同じ方向であるため、バッテリ用コンタクト５と充電電極端子１２とを同時に圧入することができる。
【００２９】
またバッテリ用コンタクト５を圧入する治具を、切り欠き孔１３に臨むコンタクト５の垂直片５ｃの下端の平坦面１４に押し当てて、圧入収納部１０の前側の垂直内壁面に垂直片５ｃを沿わせるように圧入する。この場合治具を押し当てる面が平坦面１４であるため、力を加えて無理なく且つスムーズにバッテリ用コンタクト５の圧入することができる。
【００３０】
このようにして圧入収納部１０，１１、バッテリ用コンタクト５、充電電極端子１２を夫々圧入収納することで、本実施形態のバッテリ使用機器用レセプタクルが完成することになる。
【００３１】
尚図中１７は筒体２に一体に形成した回路基板３０への位置決め突起であり、また１８は各電極配設部１６の下面に一体形成した載置脚、１９は圧入収納部１０の天井部に設けた開口である。
【００３２】
而して本実施形態の電気機器に組み込む場合には、図１（ａ）（ｂ）に示すようにバッテリ装着部５２より一段低く形成した回路基板３０に実装する。この際バッテリ用コンタクト５の電極接触部１５はバッテリ装着部５２の上方に先部が突出するように配置される。
【００３３】
そしてバッテリ５０をバッテリ装着部５２に装着する際には電極５１を形成した端面の下端をバッテリ装着部５２の上面に当てながら他端側を図１（ａ）に示すように上げる形でバッテリ５０を斜めに持ち、凹部５０ａ内の電極５１を電極接触部１５に押し付ける。
【００３４】
この状態でバッテリ５０を前方へ押し出して斜片５ｅを電極配設部７側方向へ撓ませつつ、且つ他端側を押し下げることで図１（ｂ）に示すようにバッテリ装着部５２上に装着できる。この装着状態ではバッテリ５０は斜片５ｅのばね弾性によって電極５１が電極接触部１５により押圧され、この電極接触部１５と装着部５２の他端側に設けてある壁（図示せず）との間にバッテリ５０が保持されることになる。図示する矢印はバッテリ５０の動きを示す。
【００３５】
上記のように装着したバッテリ５０を取り外す際には、図１（ｂ）の状態でバッテリ５０を前方に、バッテリ用コンタクト５の斜片５ｅのばね弾性に抗して動かして上記壁とバッテリ５０の他端側との間に隙間を設け、この状態でバッテリ５０の他端側を上げながらバッテリ５０を斜めにして装着部５２上方へ離脱させるのである。
【００３６】
尚回路基板５０をバッテリ装着部５２とともに一体形成する成形基板で構成しても良い。
【００３７】
【発明の効果】
請求項１の発明は、プラグ側の信号コンタクトに接触させる信号ポストの接触部を並設配置したプラグ挿脱部を前面に設け、後面より回路基板に接続される各信号ポストの接続部を導出せるレセプタクル本体の両側に夫々電極配設部を一体形成し、各電極配設部内には電極配設部の下面から後面に亘って開口した収納空間を設けて下面開口から板ばね材からなるバッテリ用コンタクトを収納空間内に圧入収納し、該バッテリ用コンタクトには、上記電極配設部の後面下部より後方に導出する基板接続部と、該基板接続部の導出位置より上方の上記電極配設部の後面開口から斜め上方に向けて後方に突出させた上記電極配設部方向に撓み自在な斜片と、該斜片の上端部に形成され、後方且つ斜め下向きに先端曲面を突出させたＵ字状の電極接触部とを少なくとも設けてあるので、電極を設けた一端面を斜め下向きして電極をバッテリ用コンタクトの電極接触部に弾接させて斜片を押し込むように撓ませながらバッテリを押し下げることで、バッテリを接続装着することができるもので、バッテリの端部をコンタクト本体に被せるようにして下面に設けた電極を電極接触部に押し当てる場合に比べてバッテリ装着部を小さくすることができ、その結果両端方向の寸法の短い小型のバッテリの使用も可能となり、しかも撓み方向が電極配設部の前後方向であるので、上下方向に撓ませる場合に比べて、撓み代を大きくすることが可能となり、結果接触圧を大きくすることができてバッテリの電極との接続を確実にすることができるという効果がある。
【００３８】
請求項２の発明は、請求項１の発明において、上記収納空間に並行するように上記電極配設部内に、電極配設部の下面から後面に亘って開口した充電電極端子収納用収納空間を設け、該充電電極端子用収納空間内に下面開口より充電電極端子を圧入収納するとともに、該充電電極端子の一端に設けた接続部を電極配設部の後面下部より後方に導出し、電極配設部の下面に沿うように下面開口から前方へ延長せる充電電極端子の他端に設けた電極を電極配設部の前面に沿うように配置してあるので、充電電極端子と、バッテリ用コンタクトとを同一方向から圧入することができ、そのため組み込みを同時にすることができて、組み込み工数の削減が図れるという効果ある。
【００３９】
請求項３の発明は、請求項１又は２の発明において、バッテリ用コンタクトには、基板接続部から上記斜片に至るまでの部位に上記基板接続部を一端に設けた平片と、この平片の他端より垂直方向である上方に延長形成し、収納空間内の前側の垂直内壁面に沿って配設される垂直片とを設けるとともに、該垂直片と上記平片との境界部位に切り欠き孔を形成して垂直片の下端に下向き平坦面を切り欠き孔に臨ませて上記収納空間の下面開口側に露出させてあるので、バッテリ用コンタクトの圧入時に垂直片の下端平坦面を治具により押圧することができ、そのため圧入が容易に行えるという効果がある。
【図面の簡単な説明】
【図１】一実施形態を用いたバッテリ装着部の説明図である。
【図２】一実施形態の上面図である。
【図３】同上の正面図である。
【図４】同上の下面図である。
【図５】同上の回路基板上に実装した状態の背面図である。
【図６】同上の側面図である。
【図７】（ａ）は図２のＡ−Ａ断面図である。
（ｂ）は図２のＣ−Ｃ断面図である。
【図８】（ａ）は図２のＢ−Ｂ拡大断面図である。
（ｂ）は図８（ａ）のＸ−Ｘ断面図である。
【図９】（ａ）は同上に対応するプラグの正面図である。
（ｂ）は同上に対応するプラグの上面図である。
（ｃ）は同上に対応するプラグの側面図である。
【図１０】（ａ）は従来例の上面図である。
（ｂ）は同上の正面図である。
（ｃ）は同上の下面図である。
（ｄ）は同上の背面図である。
【図１１】同上の背面図である。
【図１２】（ａ）は図１０（ａ）のＡ−Ａ断面図である。
（ｂ）は図１０（ａ）のＢ−Ｂ断面図である。
（ｃ）は図１０（ａ）のＣ−Ｃ断面図である。
【符号の説明】
１  レセプタクル本体
５  バッテリ用コンタクト
５ｅ  斜片
５ｆ  延長片
７  電極配設部
７ａ  背高部
７ｂ  背低部
１５  電極接触部
３０  回路基板
５０  バッテリ
５０  凹部
５１  電極
５２  バッテリ装着部
【図１】
0004269493.tif 000002
【図２】
0004269493.tif 000003
【図３】
0004269493.tif 000004
【図４】
0004269493.tif 000005
【図５】
0004269493.tif 000006
【図６】
0004269493.tif 000007
【図７】
0004269493.tif 000008
【図８】
0004269493.tif 000009
【図９】
0004269493.tif 000010
【図１０】
0004269493.tif 000011
【図１１】
0004269493.tif 000012
【図１２】
0004269493.tif 000013